(57)【要約】【解決手段】  本発明によるマウスは、ケースと、ケースに設置されボタンのクリックにより信号を発生するボタン部と、ボタン部に隣接して傾斜された状態でボタン部より低くケースに固定付着されたセンシング部と、ケース内部に実装されセンシング部から発生したクリック信号を一定の大きさで増幅する増幅部と、増幅部で増幅された信号を一定の大きさの信号に安定化するフィルター部と、ボタン部とセンシング部から認可される信号を択一的に出力するスイッチング部とを備えており、タッチ式に動作できるため、騒音が発生しないようにマウスの使用が可能である。
2007521544.tif 000002
【特許請求の範囲】
【請求項１】
多数ボタンのクリックにより信号を発生するボタン部と、
前記ボタン部を構成する何れかひとつのボタン又はすべてのボタンと同一のクリック命令を遂行できるように、ケースの上において指で操作可能な位置に固定付着され、前記ボタン部に身体が接触することによってクリック信号を発生するセンシング部と、
前記センシング部から発生したクリック信号を一定の大きさで増幅する増幅部と、
前記増幅部で増幅された信号を一定の大きさの信号に安定化するフィルター部と、
前記ボタン部と前記センシング部とから認可される信号を択一的に出力するスイッチング部と、
前記スイッチング部から出力する信号をコンピューターに電送できる信号に処理して出力する信号処理部と、
を備えたマウス。
【請求項２】
前記スイッチング部は、前記ボタン部と前記センシング部とから同時に入力された信号に対しては応答しないよう動作する、
請求項１に記載のマウス。
【請求項３】
前記センシング部は、前記ボタン部の長さ方向の先端に形成される、
請求項１に記載のマウス。
【請求項４】
前記センシング部は、前記ボタン部の幅の方向の側部に形成される、
請求項１に記載のマウス。
【請求項５】
前記センシング部であってマウスの左ボタンに該当するセンシング部は、マウスの左ボタン隣接部および親指が位置する部分の何れかあるいは全部に形成される、
請求項１に記載のマウス。
【請求項６】
請求項５に記載のマウスであって、
前記親指で操作されるセンシング部は、親指が通常位置される部分より高い位置に形成されるのを特徴とするマウス。
請求項５に記載のマウス。
【請求項７】
前記センシング部と前記ボタン部の間には、引っ掛け構造を形成する、
請求項１，３，４，５のいずれかに記載のマウス。
【請求項８】
前記センシング部は、身体接触を感知する手段である、近接センサー、抵抗体温度センサー、圧力センサー、距離測定センサー、赤外線センサー、磁気センサー、およびタッチセンサーの中の何れかである、
請求項１に記載のマウス。
【請求項９】
内部に駆動回路を実装するケースと、
前記ケースに設置され、押さえる動作によってクリック信号を出力するボタンと、
前記ボタンに沿い、前記ケースから延長され、センサーを前記ボタンと並んで位置させる支持部材と、
を備え、
前記駆動回路が、
第１コンデンサーが並列で連結され、停電容量の変化によるクリック信号をセンシングするセンサーと、
前記センサーに連結され、また他の入力端に連結された可変抵抗の大きさによって入力されたクリック信号を一定のレベルで増幅するＯＰアンプと、
前記ＯＰアンプの出力端に連結され、前記ＯＰアンプから入力されたクリック信号を一定のレベルの信号で安定化するトランジスタと、
第２コンデンサーが並列で連結され、停電容量に変化を与え、クリック信号を発生するボタンと、
前記トランジスタと前記ボタンとが連結され、これらから入力されるクリック信号をＲＳフリップ-フロップ（ｆｌｉｐ-ｆｌｏｐ）方式で信号処理する論理演算機と、
を有している、
マウス。
【発明の詳細な説明】
【技術分野】
【０００１】
本発明は、マウスに関するもので、より詳しくは、ボタン構造の改善に関するものである。
【背景技術】
【０００２】
マウスは、コンピューターに使用する周辺装置で、ボタンをクリックしてカーソルを自由に使えるよう開発された装置である。このマウスには、複数のボタンと選択的にホイールが設置されており、これを指で押しながら使用する。
【０００３】
しかし、ボタンをクリックするために指を長い間使うと、指、腕、肩などの身体に無理を与え、疲れやすいし、疾病を誘発するなどの問題点を引き起こす。
【０００４】
この問題点を改善するために、特許文献１においては、指を指の接触部から引き離せばクリック信号が発生できるよう構成された接触クリック方式のマウスについて開示している。
【０００５】
この先行技術は、使用者が単に指を接触部に接触したり、引き離したりすることで信号が発生できるよう構成されている。したがって、使用者がボタンを押さなくても、力を入れずにマウスが使用できることに長所がある。
【０００６】
しかし、この先行技術は、使用者が慣れている動作ではない反対の動作、つまり、マウスを引き離した状態で信号が発生するから、このマウスに適応するのに多大な時間を要するという問題がある。そのうえ、マウスのドラッグ動作では、引き続き指を引き離す必要があるために、指に無理を与え、使用者は疲れやすいし、ひいては疾病発生の恐れがある。また、使用者がマウスを使いカーソルを動かす場合、指がセンサーに被るようになっているから、誤作動の危険が常に存在するという問題があった。
【０００７】
一方、特許文献２においては、指の接触によってクリック信号を発生するタッチ型のマウスについて開示している。この先行技術においては、伝統的ボタン方式と同じように信号を発生するため、使用者が簡単に適応し使用できる長所がある。
【０００８】
しかし、この先行技術は、ボタンが単純にタッチセンサーだけで構成されているため、使用者がマウスの使用中に誤作動を防止するためには、指が不必要にセンサーに接触しないよう、引き続き神経を集中しないといけないという問題がある。また、使用者の指が傷ついて指に保護膜があって、身体とセンサーとの間で直接の接触が不可能な場合、マウスが使用できないという大きな問題がある。
【特許文献１】大韓民国特許出願公開第２００３-８７６８８号明細書
【特許文献２】大韓民国特許出願公開第２０００-３５０３３号明細書
【発明の開示】
【発明が解決しようとする課題】
【０００９】
本発明は、上記のような問題点を解決するために創案されたもので、マウスのボタン構造を改善して使用者に使用の便利性を提供することに目的がある。
【課題を解決するための手段】
【００１０】
上記の目的を達成するための本発明のマウスは、ボタンのクリックにより信号を発生するボタン部と、身体の接触によってクリック信号を発生するセンシング部と、そのセンシング部から発生したクリック信号を一定の大きさで増幅する増幅部と、その増幅部で増幅された信号を一定の大きさの信号に安定化するフィルター部と、ボタン部とセンシング部とから認可される信号を択一的に出力するスイッチング部と、そのスイッチング部から出力する信号をコンピューターに電送できるよう処理する信号処理部とを備える。
【００１１】
一方、上記の構成において、スイッチング部は、センシング部とボタン部とから同時に信号が出力される場合、センシング部またはボタン部から入力された何れか一つの信号だけを選択的に出力したり、ボタン部あるいはセンシング部の何れか一つから信号が入力されれば、これをクリック信号として出力できるよう構成される。そして、ボタン部とセンシング部から同時に入力された信号については応答しないように構成される場合もある。
【００１２】
また、センシング部は、ボタン部の長さ方向の先端に具備されるか、ボタン部の幅の方向の側面にボタン部よりも低い高さで位置する。同時に、センシング部とボタン部との境界部分に引っ掛かる構造を具備させることで、マウスの操作過程で不必要にセンシング部が選択されるのを防止する。
【発明の効果】
【００１３】
本発明によると、センサーまたはボタンを同時に使用することで、便利にマウスの駆動ができる。そのうえ、センサーまたはボタンは、使用者が使用しやすくするよう配置することができるために、自然な動作でマウスの使用が可能になる。したがって、本発明のマウスによれば、使用者の身体に無理を与えずに効果的にマウスの使用ができる。
【００１４】
また、センサーとボタンとの間に引っ掛かる部分を形成し、マウスの操作時、指が意図してない状態でセンサーと接触することを防止できるから、意図してないマウスのクリック命令が遂行されず、使用に便利な効果があり、親指部分にセンサーが具備されている場合には使用が便利である。
【００１５】
また、身体の接触によって信号が出力されるから、センサーを使ってマウスを動作する場合、ボタンをクリックすることと違い、騒音が発生しない。このため、深夜時間帯や静粛を要するところで便利である。
【発明を実施するための最良の形態】
【００１６】
以下、添付した図面を参照し、本発明の実施例を説明する。
【００１７】
図１〜図３は、本発明の実施例によるマウスの様子を表した斜視図であるが、図１は、センシング部がボタン部の側面に形成されている例を示し、図２は、センシング部がボタン部の前方に形成されている例を示し、図３は、親指位置にセンシング部が具備されている例を示す。
【００１８】
本発明の実施例によるマウス（１０）は、底が平坦に構成され、把持しやすいよう上部がラウンドの形で構成されたケース（１９）と、操作者が手でケース（１９）を把持した状態で操作できるようケース（１９）に設置されてクリック信号を発生するボタン部（１４）およびセンシング部（１１）と、ケース（１９）内部に設置されボタン部（１４）およびセンシング部（１１）に出力する信号を処理して出力する回路部（図示せず）とから構成される。
【００１９】
上記構成において、ボタン部（１４）は、左側ボタン（１４１）および右側ボタン（１４３）から構成され、ボタンが押さえられることでクリック信号が発生する。このようなボタン部（１４）の構成は、公知のものであるため、ここでは詳細な説明を省略する。
【００２０】
また、センシング部（１１）は、隣接したボタン部（１４）から各々出力する信号と同一のクリック信号を電気的に発生し、身体の接触による信号の変化を感知して、これをクリック信号として発生するものである。センシング部（１１）としては、身体の接触による信号の変化を感知するためのセンサーであれば、近接センサー、抵抗体温度センサー、圧力センサー、距離測定センサー、赤外線センサー、磁気センサー、タッチセンサーなど多様なセンサーが使用できる。これらのセンサーの活用の例は、ノート型パソコンのタッチパッドなどがある。また、センシング部（１１）の接触面の材質は、抵抗成分をもつ伝導性ゴム、伝導性シリコンのような非金属材質で構成し、接触の感をよくするのが望ましいが、それ以外に金属材質を使用してもかまわない。
【００２１】
上記のような構成を持つセンシング部（１１）は、マウスの使用に便利な配置が望ましいから、使用者がマウスを把持したとき、指の動きを少なめにしながら、すぐ届くように配置されなければならない。
【００２２】
したがって、センシング部（１１）は、ボタン部（１４）の前方あるいは側面に延長形成された支持部材（１１ａ）によってケース（１９）に固定される左側・右側センシング部（１１１,１１３）と、ケース（１９）の側面に位置する側面センシング部（１１５）とで構成されている。
【００２３】
上記の構成において、左側・右側センシング部（１１１,１１３）は、図１および図３に示す通り、左側・右側ボタン（１４１,１４３）の側部に設置されるか、図２に示すように左側・右側ボタン（１４１,１４３）の前方に設置する。また、作業中の不必要な指との接触を防止してマウスの誤作動が発生しないように、マウスのラウンド状態に沿って屈曲を作り位置的にセンシング部（１１）の接触面をボタン部（１４）より低く形成するか、センシング部（１１）の接触面とボタン部（１４）との境界部分に引っ掛かるところ（１６）を形成する。
【００２４】
そして、側面センシング部（１１５）は、図３のように、マウスを握るときに親指が位置するケース（１９）の側面に設置され、マウスの左側ボタン（１４１）と同一の信号を出力するが、作業中親指による不必要なタッチを防止するために親指が通常位置する部分より多少高い位置に設置されている。
【００２５】
一方、左・右側ボタン（１４１,１４３）の間にホイール（１９１）が具備されることもありうる。
【００２６】
このように、ボタン部（１４）と隣接してセンシング部（１１）が具備されるために、使用者は、指が自然に止まるところでボタン部（１４）を押したり、センシング部（１１）を軽くタッチしたりすることでマウスの使用が可能である。また、センシング部（１１）とボタン部（１４）との間に引っ掛かるところ（１６）が形成されることや、センシング部（１１）がボタン部より低く形成されることにより、不必要なセンシング部（１１）の動作を防止することができる。
【００２７】
一方、上記のような設置構造をもつマウスの動作を、下記において、回路部の構成を参照しながら、より詳しく説明する。
【００２８】
図４は、本発明によるマウスの回路部構成を図示したブロック図であり、上記マウスの回路部は、センシング部（１１）と、増幅部（１２）と、フィルター部（１３）と、ボタン部（１４）と、スイッチング部（１５）と、信号処理部（１７）とを備える。
【００２９】
このように構成された回路部によると、センシング部（１１）またはボタン部（１４）を通じて発生したマウスのクリック信号は、スイッチング部（１５）と信号処理部（１７）の動作によって選択的にコンピューターに伝達される。
【００３０】
上記の構成で、増幅部（１２）は、センシング部（１１）で身体の接触によって出力された信号を、一定のレベルの信号に増幅する。この増幅部（１２）には、ＯＰアンプの使用が望ましい。
【００３１】
フィルター部（１３）は、増幅部（１２）を通じて一定の大きさで増幅された信号を、一定のレベルの信号に安定化させて出力する。例えば、入力した信号を増幅して、５ボルト（Ｖ）の高い（high）信号として出力する。このフィルター部（１３）には、トランジスタ、ダイオードのようなものが使用できる。
【００３２】
スイッチング部（１５）は、ボタン部（１４）またはセンシング部（１１）から入力される信号をスイッチングして、信号処理部（１７）に入力するよう作動する。このスイッチング部（１５）は、フリップ-フロップ（flip-flop）方式の論理回路が使用できるが、これに限定される必要はない。
【００３３】
信号処理部（１７）は、スイッチング部から入力されたクリック信号を、信号処理してコンピューターに入力する。この信号処理部（１７）は、公知の構成なので、詳しい説明は省略する。
【００３４】
このように構成される回路部の動作を、回路図を参考にして説明する。
【００３５】
図５および図６は、本発明の実施例によるマウスの回路図であり、図７は、センシング部によって検出される信号を例示する波形図であり、図８は、フィルター部から出力される信号を例示する波形図である。
【００３６】
図面を参照すれば、センサー（Ｓ）がＯＰアンプ（Ａ）の入力端に連結され、その間にコンデンサー（Ｃ１）が並列で連結されている。そして、ＯＰアンプ（Ａ）の他の入力端は、基準電圧（ＶＣＣ）でバイアスされている。したがって、身体の接触によってコンデンサー（Ｃ１）の静電容量に変化が生じれば、その信号が基準電圧と比較され、これより高い信号に対してＯＰアンプ（Ａ）に入力が発生する（図７参照）。図７の斜線の領域がセンシングされる信号である。
【００３７】
また、このＯＰアンプ（Ａ）の出力端は、トランジスタ（Ｔｒ）のエミッタにつながる。トランジスタ（Ｔｒ）のベースは、基準電圧（ＶＣＣ）によってバイアスされる。コレクターの出力端には負荷抵抗（Ｒ３）がつながっており、トランジスタ（Ｔｒ）から出力する信号のレベルを決める。図８は、図７のようにセンシングされた信号がトランジスタ（Ｔｒ）を通じて出力された波形を例示したものである。つまり、センサー（Ｓ）を通じて入力された信号は、トランジスタ（Ｔｒ）を経て、一定レベルの信号（例、+５Ｖのhigh信号）で出力される。
【００３８】
そして、トランジスタ（Ｔｒ）のコレクターは、ＲＳ-ＦＦＩＧのようなフリップ-フロップ（flip-flop）論理演算機（Ｌ）の入力端につながる。
【００３９】
一方、論理演算機（Ｌ）の他の入力端には、プッシュボタン（Ｂ）が連結されており、その間にコンデンサー（Ｃ２）が並列で連結されているため、このコンデンサー（Ｃ２）の静電容量の変化によってクリック信号が発生し、論理演算機（Ｌ）の入力端に入力される。
【００４０】
これにより、論理演算機（Ｌ）は、下記の表１のように信号を処理して信号処理部（１７）に出力する。
【００４１】
【表１】
2007521544.tif 000003
【００４２】
論理演算機（Ｌ）は、センサー（Ｓ）またはプッシュボタン（Ｂ）の何れか一カ所を通して信号が入力されれば、その信号を演算して、その結果から'１'と'０'の信号を出力端（Ｏ１,Ｏ２）を介して各々信号処理部（１７）に出力する。反対に、センサー（Ｓ）とプッシュボタン（Ｂ）からクリック信号が同時に入力されれば、応答しない。
【００４３】
一方、信号処理部（１７）は、論理演算機（Ｌ）から上述のような'１'と'０'の信号が入力されれば、これを合算してクリック信号としてコンピューターに伝達する。
【００４４】
したがって、本実施例のマウスは、センサー（Ｓ）とボタン（Ｂ）の信号入力に対して選択的に作動することで、誤作動なしに安定的な信号処理が可能である。また、使用者は、誤作動の心配なくボタンまたはセンサーでマウスが使用できるから、マウスを便利に使用しながら作業の能率を高めることができる。
【００４５】
一方、図６の回路構成は図５と同じであるが、論理演算機（Ｌ）を使わずに、スイッチング（Ｓ／Ｗ）を使ってプッシュボタン（Ｂ）とセンサー（Ｓ）から入力されるクリック信号をスイッチングするよう構成されている。したがって、この実施例によるマウスは、ボタンまたはセンサーの何れかひとつだけが択一的に動作するよう構成されている。
【００４６】
そして、本発明の実施例においては、センシング部が左/右側ボタンと隣接した位置および親指が位置される部分に全部設置されているが、他にも、左側ボタンと親指が位置する部分は、選択的に一つだけ設置することもできるし、左/右側ボタンと隣接した位置および親指が位置する部分のうち何れか一つだけを設置することもできる。
【００４７】
以上のように、本発明は、限定した実施例と図面で説明したが、本発明はこれだけに限定されずに、本発明が属する技術分野において通常の知識を持つ者による本発明の技術思想と特許請求の範囲の均等範囲内において多様な修正および変形が可能なのは言うまでもない。
【図面の簡単な説明】
【００４８】
【図１】本発明の実施例によるマウスの様子を表した斜視図である。
【図２】本発明の実施例によるマウスの様子を表した斜視図である。
【図３】本発明の実施例によるマウスの様子を表した斜視図である。
【図４】本発明の実施例によるマウスの機能的構成を表したブロック図である。
【図５】本発明の実施例によるマウスの回路構成を表した回路図である。
【図６】本発明の実施例によるマウスの回路構成を表した回路図である。
【図７】センシング部によって検出される信号を例示する波形図である。
【図８】フィルターから出力される信号を例示する波形図である。
【図１】
2007521544.tif 000004
【図２】
2007521544.tif 000005
【図３】
2007521544.tif 000006
【図４】
2007521544.tif 000007
【図５】
2007521544.tif 000008
【図６】
2007521544.tif 000009
【図７】
2007521544.tif 000010
【図８】
2007521544.tif 000011
【国際調査報告】
2007521544.tif 000012
2007521544.tif 000013